(57)【要約】【課題】本発明は靴下クリーニング装置を開示した。【解決手段】本発明は靴下クリーニング装置を開示し、クリーニング機を含み、本装置は靴下に対して手洗いを真似でき、伝統的な洗濯機が離心力を利用して水洗することより効率が高く、同時に本装置は伝統的な洗濯機より体積が小さく、同時に八足の靴下を洗濯でき、本装置は機械の伝動によって係合され、間違える可能性を下げ、同時に単モーターを使って多功能を実現でき、装置のコストとエネルギー消耗を低くして節約する。【選択図】図１
2020179109.tif 000002
【特許請求の範囲】
【請求項１】
正面視で、靴下クリーニング装置であって、クリーニング機を含み、前記クリーニング機の中には動力チャンバが設置されており、前記動力チャンバの中には動力装置が設置されており、前記動力チャンバの左端には作業チャンバが設置されており、前記作業チャンバの中にはクリーニング装置が設置されており、前記動力装置が前記クリーニング装置の回転と左右の移動を制御し、前記作業チャンバの上端壁にはスイッチ溝が設置されており、前記スイッチ溝の下端壁には駆動チャンバが設置されており、前記駆動チャンバと前記スイッチ溝の中には入れ装置が設置されており、前記入れ装置は前記クリーニング装置の上下の移動を制御し、前記作業チャンバ下端壁には小溝が設置されており、前記作業チャンバの下端壁には上加水管が設置されており、前記上加水管の上端壁には位置制限溝が設置されており、前記位置制限溝の上端壁には送り込みボードスライド溝が設置されており、前記送り込みボードスライド溝の左端壁には洗剤溝が設置されており、前記洗剤溝の後端壁には外部と通じる排出口が設置されており、前記上加水管の下端には下加水管が設置されており、前記下加水管の下端には傘歯車溝が設置されており、前記傘歯車溝、前記下加水管及び前記上加水管の中にすすぎ装置が設置されており、前記作業チャンバの下端壁には落ち溝が設置されており、前記落ち溝の中にはカムスライド溝が貫通し、前記落ち溝の下端壁には脱水溝が設置されており、前記脱水溝の中には脱水装置が設置されており、前記すすぎ装置は前記脱水装置の回転を制御し、前記脱水溝の下端壁には外部と通じる排水管が設置されており、前記脱水溝の下端壁には軸チャンバが設置されており、前記軸チャンバの下端壁には連動溝が設置されていることを特徴とする靴下クリーニング装置。
【請求項２】
前記動力装置は動力モーターを含み、前記動力モーターは前記動力チャンバの上端壁に位置し、前記動力モーターの下端には動力軸が伝動できるように連結されており、前記動力軸が前記動力チャンバと、前記作業チャンバと前記カムスライド溝の下端壁を貫通し、前記動力チャンバと、前記作業チャンバと前記カムスライド溝の上下端壁とスライドできるように係合連結され、前記動力軸の上端には動力上ラチェットが設置されており、前記動力上ラチェットには動力上カムが設置されており、前記動力軸の中端には動力中カムが設置されており、前記動力軸の下端には動力下ラチェットが設置されており、前記動力下ラチェットには動力下カムが設置されており、前記動力軸が正方向に回転する時に前記動力上ラチェットと前記動力下ラチェットによって前記動力上カムと前記動力下カムとを回転連動させることができ、反転するときにはできなく、前記動力軸は正方向回転も反転も前記動力中カムを回転連動させることができ、その作用は装置全体に動力を提供することを特徴とする請求項１に記載の靴下クリーニング装置。
【請求項３】
前記クリーニング装置は固定靴下挟みを含み、前記固定靴下挟みと前記作業チャンバの後端壁と固定的に連結され、前記固定靴下挟みの左端が前記駆動チャンバの中に入り、前記固定靴下挟みの右端が前記動力チャンバの中に入り、前記固定靴下挟みの中には移動靴下挟みがスライドできるように係合連結され、前記固定靴下挟みと前記移動靴下挟みには八つの固定機構が設置されており、前記固定靴下挟みを上下に貫通する通槽を含み、前記移動靴下挟みの中には移動溝が設置されており、前記移動溝の左端壁には前記移動靴下挟みと固定的に連結されるゴムリングが設置されており、前記ゴムリングの右端には当接できるの小ブロックが設置されており、前記小ブロックと前記固定靴下挟みの上下端壁と固定的に連結され、前記移動靴下挟みが左へ移動する時前記ゴムリングと前記小ブロックとが分離し、前記移動溝と前記通槽とが通じ、前記移動靴下挟みの右端面と前記動力上カムとが当接され、前記動力上カムが前記移動靴下挟みを左右に移動連動させ、前記移動靴下挟みと前記動力チャンバとの間には戻し撥条が連結され、前記駆動チャンバの中にはラックがスライドできるように係合連結され、前記ラックが前記作業チャンバの中まで下へ伸びており、且つ前記作業チャンバの上端壁とスライドできるように係合連結され、前記ラックの下端には凹ボードが固定的に連結されており、前記凹ボードの中には下ボードがスライドできるように係合連結され、前記下ボードと前記凹ボードとが上下に対称的に駆動撥条が設置されており、前記下ボードの中の左右には貫通している下ボード左溝と固定右溝がそれぞれ設置されており、前記下ボードの右端と前記動力中カムとが当接され、前記動力中カムが回転して前記下ボードを回転連動させ、前記下ボードの上端には上ボードが固定的に連結されており、前記上ボードの後端壁には十一本の短い軸が回転できるように係合連結され、前記短い軸には短い軸後プーリが設置されており、前記短い軸後プーリには水洗ベルトによって連結され、最左端の前記短い軸には短い軸前プーリが設置されており、前記作業チャンバの下端壁には押えブロックがスライドできるように係合連結され、その作用は靴下をきれいに洗濯することを特徴とする請求項１に記載の靴下クリーニング装置。
【請求項４】
前記入れ装置はスイッチボード軸を含み、前記スイッチボード軸と前記スイッチ溝の前後端壁とが回転できるように係合連結され、前記スイッチボード軸にはスイッチボードが設置されており、前記スイッチボードの中にはスイッチボードチャンバが設置されており、前記スイッチボードチャンバの中の前記スイッチボード軸にはスイッチ紐輪が設置されており、前記駆動チャンバの前後端壁には回転軸が回転できるように係合連結され、前記回転軸の後端には前記ラックと噛み合う回転歯車が設置されており、前記回転軸の前端には回転紐輪が設置されており、前記移動靴下挟みの左端面と前記スイッチ紐輪との間には短い紐が連結され、前記短い紐が前記回転紐輪を回し、前記スイッチボードの中には上Ｌ溝が設置されており、前記上Ｌ溝によって前記スイッチボードを開け、それにより前記スイッチボード軸を回転連動させ、前記スイッチ紐輪が前記短い紐によって前記移動靴下挟みを左へ引き、前記回転歯車が前記ラックを下へ移動連動させ、その作用は靴下を入れることを特徴とする請求項１に記載の靴下クリーニング装置。
【請求項５】
前記すすぎ装置は水洗モーターを含み、前記水洗モーターと前記傘歯車溝の下端壁とが固定的に連結され、前記水洗モーターの上端には水洗軸が伝動できるように連結されており、前記水洗軸は上へ伸びており、前記傘歯車溝と、前記下加水管と、前記上加水管の上端壁を貫通し、それぞれ前記傘歯車溝と、前記下加水管と、前記上加水管の上下端壁及び前記小溝の下端壁と回転できるように係合連結され、前記水洗軸の上端には水洗上傘歯車が設置されており、前記水洗軸の下端には水洗下傘歯車が設置されており、前記小溝の前後端壁には連動軸が回転できるように係合連結され、前記連動軸の後端には前記水洗上傘歯車と噛合する連動傘歯車が設置されており、前記連動軸の前端には連動プーリが設置されており、前記連動プーリと前記短い軸前プーリとの間には弾性ベルトが連結され、前記送り込みボードスライド溝の中には送り込みボードが連結され、前記送り込みボードと前記送り込みボードスライド溝との間には送り込みボード撥条が連結され、前記送り込みボードの下端面には位置制限ブロックが設置されており、前記位置制限ブロックは前記上加水管の中に入り、前記送り込みボードの中には送り込み溝が設置されており、前記上加水管の中には加水弁が設置されており、前記下加水管の中には下水入り弁が設置されており、前記水洗軸が回転し、それにより前記連動プーリと前記短い軸前プーリを回転連動させ、その作用はクリーニング機に水を注ぐことを特徴とする請求項１に記載の靴下クリーニング装置。
【請求項６】
前記脱水装置は前記推しボードを含み、前記推しボードと前記カムスライド溝との間には推しボード撥条が連結され、前記推しボードの中には推しボード溝が設置されており、前記推しボードと前記動力下カムとが当接され、前記動力下カムが正方向に回転して前記推しボードを左へ移動連動させ、前記推しボード溝と前記落ち溝とを相通させ、前記排水管の中には排水弁が設置されており、前記傘歯車溝の右端壁と前記軸チャンバの左端壁には横軸が回転できるように係合連結され、前記横軸の左端には前記水洗下傘歯車と噛み合う横軸左傘歯車が設置されており、前記横軸の右端には横軸右歯車が設置されており、前記軸チャンバの上下端壁には太い軸が回転できるように係合連結され、前記太い軸には前記横軸右傘歯車と噛み合う太い軸傘歯車が設置されており、前記太い軸の中には細い軸が回転できるように係合連結され、前記細い軸の左右には係止溝が設置されており、前記細い軸の左右両側にはそれぞれ係止ブロックが固定的に連結され、前記係止ブロックと前記係止溝とがスライドできるように係合連結され、前記係止溝と前記係止ブロックとの間には係止ブロック撥条が連結され、前記細い軸の左右両端にはそれぞれ台形スライド溝が設置されており、前記台形スライド溝の中には台形ブロックがスライドできるように係合連結され、前記台形ブロックと前記台形スライド溝との間には台形ブロック撥条が連結され、前記脱水溝の下端壁には回転機がスライドできるように係合連結され、前記回転機の中には台形ブロック係止溝が設置されており、前記台形ブロック係止溝と前記台形ブロックとの間がスライドできるように係合連結され、前記台形ブロックは前記台形ブロック係止溝の中に挿入される時、前記細い軸が回転して前記台形ブロックによって前記回転機を回転連動させ、前記回転機には排水穴が設置されており、前記回転機にはＴ型環槽が設置されており、前記脱水溝の中には塞ぎボードがスライドできるように係合連結され、前記塞ぎボードの中には下Ｌ溝が設置されており、前記塞ぎボードの左端面には前記Ｔ型環槽とスライドできるように係合し連結されるＴ型ロッドが設置されており、前記細い軸の下端にはＴ型頭が回転できるように係合連結され、前記連動溝の前後端壁にはねじりバネ軸が回転できるように係合連結され、前記ねじりバネ軸にはねじりバネが設置されており、前記ねじりバネにはねじりバネボードが設置されており、前記ねじりバネボードの右端には前記連動溝の右端壁とスライドできるように係合連結されるボタンが当接され、前記ねじりバネボードの左端面と前記Ｔ型頭との間には長い紐が連結され、前記ボタンを左へ押し、前記長い紐によって前記細い軸を下へ引き、前記台形ブロックと前記細い軸を前記台形ブロック係止溝から離脱させ、そして前記塞ぎボードによって前記回転機を引き出し、その作用は靴下を脱水させることを特徴とする請求項１に記載の靴下クリーニング装置。
【発明の詳細な説明】
【技術分野】
【０００１】
本発明は家庭用の分野を取り上げて、具体的には靴下クリーニング装置である。
【背景技術】
【０００２】
現在、社会の発展と、人間の進歩によって、人々は益々個人衛生を注意し、現在靴下と別の服とを別れて洗濯する人が益々多くなり、靴下の一回の洗濯量が一般的に少なく、洗濯機によって洗濯すれば資源の無駄遣いをもたらし、それに靴下の病菌がもっと多く、伝統的な洗濯機は離心力によって靴下を洗濯し、この洗濯方法の洗濯程度と効果はより低い。
【先行技術文献】
【特許文献】
【０００３】
【特許文献１】中国特許出願公開第１０７４６７８６７号明細書
【発明の概要】
【発明が解決しようとする課題】
【０００４】
本発明の目的は靴下クリーニング装置を提供し、上記背景技術に提出される問題を解決できる。
【課題を解決するための手段】
【０００５】
本発明に提供される実施例：靴下クリーニング装置は、クリーニング機を含み、前記クリーニング機の中には動力チャンバが設置されており、前記動力チャンバの中には動力装置が設置されており、前記動力チャンバの左端には作業チャンバが設置されており、前記作業チャンバの中にはクリーニング装置が設置されており、前記動力装置が前記クリーニング装置の回転と左右の移動を制御し、前記作業チャンバの上端壁にはスイッチ溝が設置されており、前記スイッチ溝の下端壁には駆動チャンバが設置されており、前記駆動チャンバと前記スイッチ溝の中には入れ装置が設置されており、前記入れ装置は前記クリーニング装置の上下の移動を制御し、前記作業チャンバ下端壁には小溝が設置されており、前記作業チャンバの下端壁には上加水管が設置されており、前記上加水管の上端壁には位置制限溝が設置されており、前記位置制限溝の上端壁には送り込みボードスライド溝が設置されており、前記送り込みボードスライド溝の左端壁には洗剤溝が設置されており、前記洗剤溝の後端壁には外部と通じる排出口が設置されており、前記上加水管の下端には下加水管が設置されており、前記下加水管の下端には傘歯車溝が設置されており、前記傘歯車溝、前記下加水管及び前記上加水管の中にすすぎ装置が設置されており、前記作業チャンバの下端壁には落ち溝が設置されており、前記落ち溝の中にはカムスライド溝が貫通し、前記落ち溝の下端壁には脱水溝が設置されており、前記脱水溝の中には脱水装置が設置されており、前記すすぎ装置は前記脱水装置の回転を制御し、前記脱水溝の下端壁には外部と通じる排水管が設置されており、前記脱水溝の下端壁には軸チャンバが設置されており、前記軸チャンバの下端壁には連動溝が設置されている。
【０００６】
更なる技術方案、前記動力装置は動力モーターを含み、前記動力モーターは前記動力チャンバの上端壁に位置し、前記動力モーターの下端には動力軸が伝動できるように連結されており、前記動力軸が前記動力チャンバと、前記作業チャンバと前記カムスライド溝の下端壁を貫通し、前記動力チャンバと、前記作業チャンバと前記カムスライド溝の上下端壁とスライドできるように係合連結され、前記動力軸の上端には動力上ラチェットが設置されており、前記動力上ラチェットには動力上カムが設置されており、前記動力軸の中端には動力中カムが設置されており、前記動力軸の下端には動力下ラチェットが設置されており、前記動力下ラチェットには動力下カムが設置されており、前記動力軸が正方向に回転する時に前記動力上ラチェットと前記動力下ラチェットによって前記動力上カムと前記動力下カムとを回転連動させることができ、反転するときにはできなく、前記動力軸は正方向回転も反転も前記動力中カムを回転連動させることができ、その作用は装置全体に動力を提供する。
【０００７】
更なる技術方案、前記クリーニング装置は固定靴下挟みを含み、前記固定靴下挟みと前記作業チャンバの後端壁と固定的に連結され、前記固定靴下挟みの左端が前記駆動チャンバの中に入り、前記固定靴下挟みの右端が前記動力チャンバの中に入り、前記固定靴下挟みの中には移動靴下挟みがスライドできるように係合連結され、前記固定靴下挟みと前記移動靴下挟みには八つの固定機構が設置されており、前記固定靴下挟みを上下に貫通する通槽を含み、前記移動靴下挟みの中には移動溝が設置されており、前記移動溝の左端壁には前記移動靴下挟みと固定的に連結されるゴムリングが設置されており、前記ゴムリングの右端には当接できるの小ブロックが設置されており、前記小ブロックと前記固定靴下挟みの上下端壁と固定的に連結され、前記移動靴下挟みが左へ移動する時前記ゴムリングと前記小ブロックとが分離し、前記移動溝と前記通槽とが通じ、前記移動靴下挟みの右端面と前記動力上カムとが当接され、前記動力上カムが前記移動靴下挟みを左右に移動連動させ、前記移動靴下挟みと前記動力チャンバとの間には戻し撥条が連結され、前記駆動チャンバの中にはラックがスライドできるように係合連結され、前記ラックが前記作業チャンバの中まで下へ伸びており、且つ前記作業チャンバの上端壁とスライドできるように係合連結され、前記ラックの下端には凹ボードが固定的に連結されており、前記凹ボードの中には下ボードがスライドできるように係合連結され、前記下ボードと前記凹ボードとが上下に対称的に駆動撥条が設置されており、前記下ボードの中の左右には貫通している下ボード左溝と固定右溝がそれぞれ設置されており、前記下ボードの右端と前記動力中カムとが当接され、前記動力中カムが回転して前記下ボードを回転連動させ、前記下ボードの上端には上ボードが固定的に連結されており、前記上ボードの後端壁には十一本の短い軸が回転できるように係合連結され、前記短い軸には短い軸後プーリが設置されており、前記短い軸後プーリには水洗ベルトによって連結され、最左端の前記短い軸には短い軸前プーリが設置されており、前記作業チャンバの下端壁には押えブロックがスライドできるように係合連結され、その作用は靴下をきれいに洗濯する。
【０００８】
更なる技術方案、前記入れ装置はスイッチボード軸を含み、前記スイッチボード軸と前記スイッチ溝の前後端壁とが回転できるように係合連結され、前記スイッチボード軸にはスイッチボードが設置されており、前記スイッチボードの中にはスイッチボードチャンバが設置されており、前記スイッチボードチャンバの中の前記スイッチボード軸にはスイッチ紐輪が設置されており、前記駆動チャンバの前後端壁には回転軸が回転できるように係合連結され、前記回転軸の後端には前記ラックと噛み合う回転歯車が設置されており、前記回転軸の前端には回転紐輪が設置されており、前記移動靴下挟みの左端面と前記スイッチ紐輪との間には短い紐が連結され、前記短い紐が前記回転紐輪を回し、前記スイッチボードの中には上Ｌ溝が設置されており、前記上Ｌ溝によって前記スイッチボードを開け、それにより前記スイッチボード軸を回転連動させ、前記スイッチ紐輪が前記短い紐によって前記移動靴下挟みを左へ引き、前記回転歯車が前記ラックを下へ移動連動させ、その作用は靴下を入れる。
【０００９】
更なる技術方案、前記すすぎ装置は水洗モーターを含み、前記水洗モーターと前記傘歯車溝の下端壁とが固定的に連結され、前記水洗モーターの上端には水洗軸が伝動できるように連結されており、前記水洗軸は上へ伸びており、前記傘歯車溝と、前記下加水管と、前記上加水管の上端壁を貫通し、それぞれ前記傘歯車溝と、前記下加水管と、前記上加水管の上下端壁及び前記小溝の下端壁と回転できるように係合連結され、前記水洗軸の上端には水洗上傘歯車が設置されており、前記水洗軸の下端には水洗下傘歯車が設置されており、前記小溝の前後端壁には連動軸が回転できるように係合連結され、前記連動軸の後端には前記水洗上傘歯車と噛合する連動傘歯車が設置されており、前記連動軸の前端には連動プーリが設置されており、前記連動プーリと前記短い軸前プーリとの間には弾性ベルトが連結され、前記送り込みボードスライド溝の中には送り込みボードが連結され、前記送り込みボードと前記送り込みボードスライド溝との間には送り込みボード撥条が連結され、前記送り込みボードの下端面には位置制限ブロックが設置されており、前記位置制限ブロックは前記上加水管の中に入り、前記送り込みボードの中には送り込み溝が設置されており、前記上加水管の中には加水弁が設置されており、前記下加水管の中には下水入り弁が設置されており、前記水洗軸が回転し、それにより前記連動プーリと前記短い軸前プーリを回転連動させ、その作用はクリーニング機に水を注ぐ。
【００１０】
更なる技術方案、前記脱水装置は前記推しボードを含み、前記推しボードと前記カムスライド溝との間には推しボード撥条が連結され、前記推しボードの中には推しボード溝が設置されており、前記推しボードと前記動力下カムとが当接され、前記動力下カムが正方向に回転して前記推しボードを左へ移動連動させ、前記推しボード溝と前記落ち溝とを相通させ、前記排水管の中には排水弁が設置されており、前記傘歯車溝の右端壁と前記軸チャンバの左端壁には横軸が回転できるように係合連結され、前記横軸の左端には前記水洗下傘歯車と噛み合う横軸左傘歯車が設置されており、前記横軸の右端には横軸右歯車が設置されており、前記軸チャンバの上下端壁には太い軸が回転できるように係合連結され、前記太い軸には前記横軸右傘歯車と噛み合う太い軸傘歯車が設置されており、前記太い軸の中には細い軸が回転できるように係合連結され、前記細い軸の左右には係止溝が設置されており、前記細い軸の左右両側にはそれぞれ係止ブロックが固定的に連結され、前記係止ブロックと前記係止溝とがスライドできるように係合連結され、前記係止溝と前記係止ブロックとの間には係止ブロック撥条が連結され、前記細い軸の左右両端にはそれぞれ台形スライド溝が設置されており、前記台形スライド溝の中には台形ブロックがスライドできるように係合連結され、前記台形ブロックと前記台形スライド溝との間には台形ブロック撥条が連結され、前記脱水溝の下端壁には回転機がスライドできるように係合連結され、前記回転機の中には台形ブロック係止溝が設置されており、前記台形ブロック係止溝と前記台形ブロックとの間がスライドできるように係合連結され、前記台形ブロックは前記台形ブロック係止溝の中に挿入される時、前記細い軸が回転して前記台形ブロックによって前記回転機を回転連動させ、前記回転機には排水穴が設置されており、前記回転機にはＴ型環槽が設置されており、前記脱水溝の中には塞ぎボードがスライドできるように係合連結され、前記塞ぎボードの中には下Ｌ溝が設置されており、前記塞ぎボードの左端面には前記Ｔ型環槽とスライドできるように係合し連結されるＴ型ロッドが設置されており、前記細い軸の下端にはＴ型頭が回転できるように係合連結され、前記連動溝の前後端壁にはねじりバネ軸が回転できるように係合連結され、前記ねじりバネ軸にはねじりバネが設置されており、前記ねじりバネにはねじりバネボードが設置されており、前記ねじりバネボードの右端には前記連動溝の右端壁とスライドできるように係合連結されるボタンが当接され、前記ねじりバネボードの左端面と前記Ｔ型頭との間には長い紐が連結され、前記ボタンを左へ押し、前記長い紐によって前記細い軸を下へ引き、前記台形ブロックと前記細い軸を前記台形ブロック係止溝から離脱させ、そして前記塞ぎボードによって前記回転機を引き出し、その作用は靴下を脱水させる。
【発明の効果】
【００１１】
本発明の有益な効果は：本装置は靴下に対して手洗いを真似でき、伝統的な洗濯機が離心力を利用して水洗することより効率が高く、同時に本装置は伝統的な洗濯機より体積が小さく、同時に八足の靴下を洗濯でき、本装置は機械の伝動によって係合され、間違える可能性を下げ、同時に単モーターを使って多功能を実現でき、装置のコストとエネルギー消耗を低くして節約する。
【図面の簡単な説明】
【００１２】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本発明の靴下クリーニング装置の全体断面の正面構成模式図
【図２】図２は本発明の図１のＡの部分拡大図
【図３】図３は本発明の図１のＢの部分拡大図
【図４】図４は本発明の図１のＣーＣの方向の断面図
【図５】図５は本発明の図２のＤーＤの方向の断面図
【発明を実施するための形態】
【００１４】
本説明書に公開されるいずれもの特徴、或いは公開されるいずれもの方法或いは過程中の順序は互いに排斥する特徴或いは順序以外、いかなる方式によって組み合わせる。
【００１５】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１６】
図１〜５を参考して、本発明に提供される実施例：靴下クリーニング装置は、クリーニング機１００を含み、前記クリーニング機１００の中には動力チャンバ３３が設置されており、前記動力チャンバ３３の中には動力装置１１１が設置されており、前記動力チャンバ３３の左端には作業チャンバ１８が設置されており、前記作業チャンバ１８の中にはクリーニング装置１１２が設置されており、前記動力装置１１１が前記クリーニング装置１１２の回転と左右の移動を制御し、前記作業チャンバ１８の上端壁にはスイッチ溝１１が設置されており、前記スイッチ溝１１の下端壁には駆動チャンバ７６が設置されており、前記駆動チャンバ７６と前記スイッチ溝１１の中には入れ装置１１３が設置されており、前記入れ装置１１３は前記クリーニング装置１１２の上下の移動を制御し、前記作業チャンバ１８下端壁には小溝８５が設置されており、前記作業チャンバ１８の下端壁には上加水管７０が設置されており、前記上加水管７０の上端壁には位置制限溝９３が設置されており、前記位置制限溝９３の上端壁には送り込みボードスライド溝９２が設置されており、前記送り込みボードスライド溝９２の左端壁には洗剤溝８７が設置されており、前記洗剤溝８７の後端壁には外部と通じる排出口８６が設置されており、前記上加水管７０の下端には下加水管６８が設置されており、前記下加水管６８の下端には傘歯車溝６７が設置されており、前記傘歯車溝６７、前記下加水管６８及び前記上加水管７０の中にすすぎ装置１１４が設置されており、前記作業チャンバ１８の下端壁には落ち溝２８が設置されており、前記落ち溝２８の中にはカムスライド溝４１が貫通し、前記落ち溝２８の下端壁には脱水溝５３が設置されており、前記脱水溝５３の中には脱水装置１１５が設置されており、前記すすぎ装置１１４は前記脱水装置１１５の回転を制御し、前記脱水溝５３の下端壁には外部と通じる排水管５８が設置されており、前記脱水溝５３の下端壁には軸チャンバ１０２が設置されており、前記軸チャンバ１０２の下端壁には連動溝５４が設置されている。
【００１７】
有益なように、前記動力装置１１１は動力モーター３２を含み、前記動力モーター３２は前記動力チャンバ３３の上端壁に位置し、前記動力モーター３２の下端には動力軸３７が伝動できるように連結されており、前記動力軸３７が前記動力チャンバ３３と、前記作業チャンバ１８と前記カムスライド溝４１の下端壁を貫通し、前記動力チャンバ３３と、前記作業チャンバ１８と前記カムスライド溝４１の上下端壁とスライドできるように係合連結され、前記動力軸３７の上端には動力上ラチェット３４が設置されており、前記動力上ラチェット３４には動力上カム３５が設置されており、前記動力軸３７の中端には動力中カム３８が設置されており、前記動力軸３７の下端には動力下ラチェット４０が設置されており、前記動力下ラチェット４０には動力下カム４２が設置されており、前記動力軸３７が正方向に回転する時に前記動力上ラチェット３４と前記動力下ラチェット４０によって前記動力上カム３５と前記動力下カム４２とを回転連動させることができ、反転するときにはできなく、前記動力軸３７は正方向回転も反転も前記動力中カム３８を回転連動させることができ、その作用は装置全体に動力を提供する。
【００１８】
有益なように、前記クリーニング装置１１２は固定靴下挟み２０を含み、前記固定靴下挟み２０と前記作業チャンバ１８の後端壁と固定的に連結され、前記固定靴下挟み２０の左端が前記駆動チャンバ７６の中に入り、前記固定靴下挟み２０の右端が前記動力チャンバ３３の中に入り、前記固定靴下挟み２０の中には移動靴下挟み２４がスライドできるように係合連結され、前記固定靴下挟み２０と前記移動靴下挟み２４には八つの固定機構が設置されており、前記固定靴下挟み２０を上下に貫通する通槽２３を含み、前記移動靴下挟み２４の中には移動溝２７が設置されており、前記移動溝２７の左端壁には前記移動靴下挟み２４と固定的に連結されるゴムリング２５が設置されており、前記ゴムリング２５の右端には当接できるの小ブロック２６が設置されており、前記小ブロック２６と前記固定靴下挟み２０の上下端壁と固定的に連結され、前記移動靴下挟み２４が左へ移動する時前記ゴムリング２５と前記小ブロック２６とが分離し、前記移動溝２７と前記通槽２３とが通じ、前記移動靴下挟み２４の右端面と前記動力上カム３５とが当接され、前記動力上カム３５が前記移動靴下挟み２４を左右に移動連動させ、前記移動靴下挟み２４と前記動力チャンバ３３との間には戻し撥条３６が連結され、前記駆動チャンバ７６の中にはラック７５がスライドできるように係合連結され、前記ラック７５が前記作業チャンバ１８の中まで下へ伸びており、且つ前記作業チャンバ１８の上端壁とスライドできるように係合連結され、前記ラック７５の下端には凹ボード７４が固定的に連結されており、前記凹ボード７４の中には下ボード２２がスライドできるように係合連結され、前記下ボード２２と前記凹ボード７４とが上下に対称的に駆動撥条７３が設置されており、前記下ボード２２の中の左右には貫通している下ボード左溝７１と固定右溝２９がそれぞれ設置されており、前記下ボード２２の右端と前記動力中カム３８とが当接され、前記動力中カム３８が回転して前記下ボード２２を回転連動させ、前記下ボード２２の上端には上ボード１９が固定的に連結されており、前記上ボード１９の後端壁には十一本の短い軸１６が回転できるように係合連結され、前記短い軸１６には短い軸後プーリ１７が設置されており、前記短い軸後プーリ１７には水洗ベルト２１によって連結され、最左端の前記短い軸１６には短い軸前プーリ１５が設置されており、前記作業チャンバ１８の下端壁には押えブロック３９がスライドできるように係合連結され、その作用は靴下をきれいに洗濯する。
【００１９】
有益なように、前記入れ装置１１３はスイッチボード軸１２を含み、前記スイッチボード軸１２と前記スイッチ溝１１の前後端壁とが回転できるように係合連結され、前記スイッチボード軸１２にはスイッチボード３１が設置されており、前記スイッチボード３１の中にはスイッチボードチャンバ１４が設置されており、前記スイッチボードチャンバ１４の中の前記スイッチボード軸１２にはスイッチ紐輪１３が設置されており、前記駆動チャンバ７６の前後端壁には回転軸７９が回転できるように係合連結され、前記回転軸７９の後端には前記ラック７５と噛み合う回転歯車７７が設置されており、前記回転軸７９の前端には回転紐輪７８が設置されており、前記移動靴下挟み２４の左端面と前記スイッチ紐輪１３との間には短い紐８０が連結され、前記短い紐８０が前記回転紐輪７８を回し、前記スイッチボード３１の中には上Ｌ溝３０が設置されており、前記上Ｌ溝３０によって前記スイッチボード３１を開け、それにより前記スイッチボード軸１２を回転連動させ、前記スイッチ紐輪１３が前記短い紐８０によって前記移動靴下挟み２４を左へ引き、前記回転歯車７７が前記ラック７５を下へ移動連動させ、その作用は靴下を入れる。
【００２０】
有益なように、前記すすぎ装置１１４は水洗モーター６４を含み、前記水洗モーター６４と前記傘歯車溝６７の下端壁とが固定的に連結され、前記水洗モーター６４の上端には水洗軸６９が伝動できるように連結されており、前記水洗軸６９は上へ伸びており、前記傘歯車溝６７と、前記下加水管６８と、前記上加水管７０の上端壁を貫通し、それぞれ前記傘歯車溝６７と、前記下加水管６８と、前記上加水管７０の上下端壁及び前記小溝８５の下端壁と回転できるように係合連結され、前記水洗軸６９の上端には水洗上傘歯車８１が設置されており、前記水洗軸６９の下端には水洗下傘歯車６６が設置されており、前記小溝８５の前後端壁には連動軸８２が回転できるように係合連結され、前記連動軸８２の後端には前記水洗上傘歯車８１と噛合する連動傘歯車８３が設置されており、前記連動軸８２の前端には連動プーリ８４が設置されており、前記連動プーリ８４と前記短い軸前プーリ１５との間には弾性ベルト７２が連結され、前記送り込みボードスライド溝９２の中には送り込みボード９０が連結され、前記送り込みボード９０と前記送り込みボードスライド溝９２との間には送り込みボード撥条６５が連結され、前記送り込みボード９０の下端面には位置制限ブロック９４が設置されており、前記位置制限ブロック９４は前記上加水管７０の中に入り、前記送り込みボード９０の中には送り込み溝８９が設置されており、前記上加水管７０の中には加水弁９１が設置されており、前記下加水管６８の中には下水入り弁６０が設置されており、前記水洗軸６９が回転し、それにより前記連動プーリ８４と前記短い軸前プーリ１５を回転連動させ、その作用はクリーニング機１００に水を注ぐ。
【００２１】
有益なように、前記脱水装置１１５は前記推しボード４３を含み、前記推しボード４３と前記カムスライド溝４１との間には推しボード撥条４５が連結され、前記推しボード４３の中には推しボード溝４４が設置されており、前記推しボード４３と前記動力下カム４２とが当接され、前記動力下カム４２が正方向に回転して前記推しボード４３を左へ移動連動させ、前記推しボード溝４４と前記落ち溝２８とを相通させ、前記排水管５８の中には排水弁５７が設置されており、前記傘歯車溝６７の右端壁と前記軸チャンバ１０２の左端壁には横軸６１が回転できるように係合連結され、前記横軸６１の左端には前記水洗下傘歯車６６と噛み合う横軸左傘歯車６２が設置されており、前記横軸６１の右端には横軸右歯車１０７が設置されており、前記軸チャンバ１０２の上下端壁には太い軸８８が回転できるように係合連結され、前記太い軸８８には前記横軸右傘歯車１０７と噛み合う太い軸傘歯車１０６が設置されており、前記太い軸８８の中には細い軸１０４が回転できるように係合連結され、前記細い軸１０４の左右には係止溝９９が設置されており、前記細い軸１０４の左右両側にはそれぞれ係止ブロック１０５が固定的に連結され、前記係止ブロック１０５と前記係止溝９９とがスライドできるように係合連結され、前記係止溝９９と前記係止ブロック１０５との間には係止ブロック撥条９８が連結され、前記細い軸１０４の左右両端にはそれぞれ台形スライド溝９５が設置されており、前記台形スライド溝９５の中には台形ブロック９６がスライドできるように係合連結され、前記台形ブロック９６と前記台形スライド溝９５との間には台形ブロック撥条１０３が連結され、前記脱水溝５３の下端壁には回転機１０１がスライドできるように係合連結され、前記回転機１０１の中には台形ブロック係止溝９７が設置されており、前記台形ブロック係止溝９７と前記台形ブロック９６との間がスライドできるように係合連結され、前記台形ブロック９６は前記台形ブロック係止溝９７の中に挿入される時、前記細い軸１０４が回転して前記台形ブロック９６によって前記回転機１０１を回転連動させ、前記回転機１０１には排水穴５６が設置されており、前記回転機１０１にはＴ型環槽５５が設置されており、前記脱水溝５３の中には塞ぎボード４８がスライドできるように係合連結され、前記塞ぎボード４８の中には下Ｌ溝４７が設置されており、前記塞ぎボード４８の左端面には前記Ｔ型環槽５５とスライドできるように係合し連結されるＴ型ロッド４６が設置されており、前記細い軸１０４の下端にはＴ型頭１０８が回転できるように係合連結され、前記連動溝５４の前後端壁にはねじりバネ軸５２が回転できるように係合連結され、前記ねじりバネ軸５２にはねじりバネ５０が設置されており、前記ねじりバネ５０にはねじりバネボード５１が設置されており、前記ねじりバネボード５１の右端には前記連動溝５４の右端壁とスライドできるように係合連結されるボタン４９が当接され、前記ねじりバネボード５１の左端面と前記Ｔ型頭１０８との間には長い紐１０９が連結され、前記ボタン４９を左へ押し、前記長い紐１０９によって前記細い軸１０４を下へ引き、前記台形ブロック９６と前記細い軸１０４を前記台形ブロック係止溝９７から離脱させ、そして前記塞ぎボード４８によって前記回転機１０１を引き出し、その作用は靴下を脱水させる。
【００２２】
以下、付図１〜５及び上記の本願発明の靴下クリーニング装置の具体的な構造を参考してその使い方を詳しく説明する：まず、初期状態に、排出口８６によって洗剤溝８７の中に洗剤を入れ、塞ぎボード４８は閉じる状態にある。
【００２３】
使用する時、上Ｌ溝３０によってスイッチボード３１を上げ、スイッチボード軸１２と回転歯車７７と、回転紐輪７８と、回転軸７９を回させ、移動靴下挟み２４が左へ移動する時にゴムリング２５と小ブロック２６と分離させ、移動溝２７と通槽２３とが相通し、ラック７５が下へ移動し、下ボード２２と上ボード１９を下へ移動させ、そして靴下のレッグ部をゴムリング２５と小ブロック２６との間の隙間に置き、そしてスイッチボード３１を閉じ、ゴムリング２５と小ブロック２６とが靴下のレッグ部を挟み、下ボード２２と上ボード１９が上へ移動し、水洗ベルト２１と固定靴下挟み２０は靴下の主体部分を押え、上加水弁９１を開け、水は上加水管７０から作業チャンバ１８の中に流れ込み、水が位置制限ブロック９４と送り込みボード９０とを右に移動連動させ、送り込み溝８９の中にある洗剤が上加水管７０により作業チャンバ１８の中に入り、そして動力モーター３２を反転して開け、それにより動力中カム３８を回転連動させ、下ボード２２と上ボード１９を左右に移動連動させ、水洗ベルト２１の突起部分によって、手洗いを真似し、それにより靴下をきれいに洗濯し、洗濯が済む時、動力モーター３２を正方向に回転させ始動し、百八十度回転して、動力上カム３５と、動力中カム３８と、動力下カム４２を回転連動させ、上Ｌ溝３０と落ち溝２８とが位置合わせ、ボード溝４４を推して落ち溝２８と相通させ、ゴムリング２５と小ブロック２６とが分離され、そして水洗モーター６４を始動し、それにより水洗軸６９と、水洗下傘歯車６６と、水洗上傘歯車８１と、連動軸８２と、連動傘歯車８３と、連動プーリ８４の回転によって、短い軸１６と、短い軸前プーリ１５と、短い軸後プーリ１７と水洗ベルト２１を回転連動させ、靴下を回転機１０１の中に運び込み、そして排水管５８を開けて汚水を排出させ、そして下水入り弁６０を開け、清水を入れ、水洗下傘歯車６６が横軸左傘歯車６２と、横軸６１と、横軸右傘歯車１０７と、太い軸傘歯車１０６と、太い軸８８と、細い軸１０４と回転機１０１を回転連動させ、靴下をすすぎ、そして排水弁５７によって水を流し、それを繰り返し、水洗モーター６４を閉じ、ボタン４９を左へ押し、長い紐１０９が細い軸１０４を下へ引き、台形ブロック９６と細い軸１０４を台形ブロック係止溝９７から離脱させ、そして下Ｌ溝４７によって塞ぎボード４８と、Ｔ型ロッド４６と回転機１０１を右へ引き、靴下を取り出し、そしてボタン４９を押し、回転器１０１を戻せば良い。
【００２４】
本発明の有益な効果は：本装置は靴下に対して手洗いを真似でき、伝統的な洗濯機が離心力を利用して水洗することより効率が高く、同時に本装置は伝統的な洗濯機より体積が小さく、同時に八足の靴下を洗濯でき、本装置は機械の伝動によって係合され、間違える可能性を下げ、同時に単モーターを使って多功能を実現でき、装置のコストとエネルギー消耗を低くして節約する。
【００２５】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020179109.tif 000003
【図２】
2020179109.tif 000004
【図３】
2020179109.tif 000005
【図４】
2020179109.tif 000006
【図５】
2020179109.tif 000007